(57)【要約】【課題】釣竿に設けた挿通孔に挿通した電動リールのコードを動かし易く、コードをリールやバッテリに接続する際に容易に行うことができる釣竿用ハンドルを提供する。【解決手段】先端側に竿部１２を取り付け可能な釣竿用ハンドル１４は、前記ハンドルにリール取付部１４ｂを設けるとともに、前記リール取付部に取り付ける釣用電動リール３０のコード６０を前記ハンドルの内部に挿通する挿通孔７３，７４ａを設け、前記挿通孔は、前記ハンドルの中心軸Ｃ方向に平行または近接する前記挿通孔の前後方向の長さが、前記挿通孔の前後方向に交差し前記ハンドルの中心軸Ｃ方向に交差する方向に対して長い長孔に形成されている。【選択図】    図３
2010029112.tif 000002
【特許請求の範囲】
【請求項１】
先端側に竿部を取り付け可能な釣竿用ハンドルであって、
前記ハンドルにリール取付部を設けるとともに、前記リール取付部に取り付ける釣用電動リールのコードを前記ハンドルの内部に挿通する挿通孔を設け、
前記挿通孔は、長孔に形成されていることを特徴とする釣竿用ハンドル。
【請求項２】
前記挿通孔の前端側又は後端側は、湾曲状に形成されていることを特徴とする請求項１に記載の釣竿用ハンドル。
【請求項３】
前記挿通孔は、前記ハンドルの軸線に直交する方向よりも前方を向いて形成されていることを特徴とする請求項１又は請求項２に記載の釣竿用ハンドル。
【請求項４】
前記挿通孔には着脱可能にカバー体が取り付けられていることを特徴とする請求項１ないし請求項３のいずれか１に記載の釣竿用ハンドル。
【請求項５】
前記ハンドルは、前記電動リールを着脱可能な位置よりも後方側に、前記電動リールに前記コードを通して給電するバッテリを着脱自在に保持するバッテリ保持部を有することを特徴とする請求項１ないし請求項４のいずれか１に記載の釣竿用ハンドル。
【請求項６】
請求項１から請求項５のいずれか１に記載の釣竿用ハンドルの先端側に竿部を設けた魚釣用釣竿。
【発明の詳細な説明】
【技術分野】
【０００１】
この発明は、魚釣用電動リールとともに用いられることが好適な釣竿用ハンドル及び釣竿に関する。
【背景技術】
【０００２】
従来から魚釣用釣竿に電動リールを取り付けて魚釣りを行う場合、バッテリから電動リールに給電するためのコードを接続している。しかし、電動リールを取り付けて魚釣りを行う際には、給電用のコードを引きずってしまい、そのコードが邪魔になることがある。
【０００３】
例えば特許文献１には、釣竿に内蔵したバッテリに電動リールのコードを竿内に差し込んで繋ぐ構造が開示されている。また、特許文献２には、コードが魚釣りの邪魔にならないように一度釣竿内に差し込んで再び釣竿の基部（後端）近傍から外側に延出させてバッテリに繋ぐ釣具（釣竿）が開示されている。
【特許文献１】実開平２−９０７４号公報
【特許文献２】実開昭４８−６２９２号公報
【発明の開示】
【発明が解決しようとする課題】
【０００４】
特許文献１や特許文献２に開示された構造は、釣竿内にコードを差し入れるための挿通孔が小さく、また、その挿通孔は釣竿の長手方向に対して直交方向に開口されている。したがって、この挿通孔を介して挿通したコードが釣竿の内部で長手方向に急に折り曲げられることとなるため、コードをリールやバッテリに接続する際などにコードに大きな負荷をかけることがある。
【０００５】
この発明は、このような課題を解決するためになされたものであり、釣竿に設けた挿通孔に挿通した電動リールのコードが急に折り曲げられることなく、コードに大きな負荷がかからない釣竿用ハンドル及び釣竿を提供することを目的とする。
【課題を解決するための手段】
【０００６】
上記課題を解決するために、この発明に係る、先端側に竿部を取り付け可能な釣竿用ハンドルは、前記ハンドルにリール取付部を設けるとともに、前記リール取付部に取り付ける釣用電動リールのコードを前記ハンドルの内部に挿通する挿通孔を設け、前記挿通孔は、長孔に形成されていることを特徴とする。  
また、前記挿通孔の前端側又は後端側は、湾曲状に形成されていることが好ましい。  
また、前記挿通孔は、前記ハンドルの軸線に直交する方向よりも前方を向いて形成されていることが好ましい。  
また、前記挿通孔には着脱可能にカバー体が取り付けられていることが好ましい。  
また、前記ハンドルは、前記電動リールを着脱可能な位置よりも後方側に、前記電動リールに前記コードを通して給電するバッテリを着脱自在に保持するバッテリ保持部を有することが好ましい。
【発明の効果】
【０００７】
この発明では、釣竿用ハンドルにコードを挿通する長孔の挿通孔を設けた。このため、コードを挿通孔で急に折り曲げることなく挿通できコードに大きな負荷がかかることが防止される。  
釣竿用ハンドルに設けた挿通孔の前端側又は後端側が、湾曲状に形成されていることによって、釣竿用ハンドルに指を掛けるなどして保持することができる。  
釣竿用ハンドルに設けた挿通孔が、釣竿用ハンドルの軸線に直交する方向よりも前方を向いて形成されていることによって、電動リールのコードに大きな力を加えることなく、コードを挿通することができる。  
釣竿用ハンドルに設けた挿通孔に着脱可能にカバー体が取り付けられていることによって、挿通孔を通して液体やゴミ等が釣竿用ハンドル内に入ることを防止することができる。  
釣竿用ハンドルの挿通孔をリール取付部よりも後方に設けることによって、リール取付部の握持が規制されずに電動リールを支えながら釣竿をしっかりと持つことができる。
【発明を実施するための最良の形態】
【０００８】
以下、図面を参照しながらこの発明を実施するための最良の形態（以下、実施の形態という）について説明する。
【０００９】
第１の実施の形態について図１ないし図３を用いて説明する。  
図１に示すように、この実施の形態の釣竿１０は、竿部１２と、この竿部１２の後端に配設され釣り人が把持するハンドル１４とを備えている。図２（Ａ）に示す竿部１２の後端の嵌合突起１３ａは、ハンドル１４の後述する芯部材１４ｄの先端の嵌合孔１３ｂに差し込まれて取り付けられている。なお、竿部１２の後端の嵌合突起１３ａはハンドル１４の先端の嵌合孔１３ｂに対して固定（固着）または着脱可能に取り付けられる。
【００１０】
竿部１２は、例えば繊維強化樹脂材製の竿桿２２と、竿桿２２に配設された釣糸用ガイド２４とを備えている。なお、本実施形態の釣竿１０の竿部１２は、中通し竿として形成されていることも好適である。また、竿桿２２は、中空構造に限らず、中実構造であっても良い。
【００１１】
図２（Ａ）に示す魚釣用電動リール３０は、リール本体３２の両側に配置した１対の側板３４間に、図示しないスプール軸を介してスプールが回転可能に支持されている。この側板３４で支えられたハンドル軸（図示しない）を介して、このリール３０のハンドル３４ａ（図３参照）の回転をリール本体３２内に配置された駆動機構に伝達することができる。
【００１２】
通常と同様に、このスプールは、一方の側板３４に設けたハンドル３４ａを介する手動操作で形成される駆動力により、リール本体３２内に配置された公知の駆動機構を介して回転され、あるいは、リール本体３２のスプール前方の側板３４間にモータケースを介して収容された公知のスプール駆動モータにバッテリ４０から給電する電動操作で形成される駆動力により、動力伝達機構を介して回転され、このスプール上に釣糸が巻回される。
【００１３】
電動操作による駆動力で釣糸を巻き取る際は、リール本体３２に通常と同様に取り付けられたスプール駆動モータのモータ出力調節用操作部を操作することにより、リール本体３２に内蔵のマイクロコンピュータを通じてスプール駆動モータの出力を自由に制御（モータ出力の停止や出力の増減調節）することができる。また、この操作部の操作により、マイクロコンピュータを通じて、スプール駆動モータの停止位置から高出力値までスプール駆動モータの出力を調節し、スプールの回転速度、つまり、釣糸の巻き取り速度を制御することができる。
【００１４】
このリール本体３２の上面の前方部位には、通常の電動リールと同様に、制御部３２ａを配置してあり、例えば、釣糸の繰出し量（糸長）、棚位置等の種々の制御機能、制御条件等を表示する液晶表示部３２ｂ（図９参照）を配置し、更に、棚位置を設定する棚取りボタン、糸長計測値の値をゼロにリセットするリセットボタン、および、押し込んでいるときにのみスプール駆動モータを駆動させ、解放したときに停止して微妙な巻上操作を可能とする寸動ボタン等の種々のボタンあるいはスイッチ類３２ｃ（図９参照）を配置してある。
【００１５】
通常と同様に、リール本体３２には、クラッチ機構（図示しない）も設けられており、このクラッチ機構を通じて、スプール軸に駆動連結するスプール駆動モータあるいはハンドルで形成される駆動力を、スプールに伝達し或いはスプールから遮断することができる。クラッチ機構がスプール軸をスプール駆動モータおよびハンドルから分離した状態（スプールフリー状態）で、ハンドルを回転させると、図示しない復帰機構を介して、スプール軸が元の状態（巻取状態）に復帰する。これにより、スプール軸と一体化されているスプールを、スプール駆動モータあるいはハンドルが形成する駆動力で回転することができる。符号３６は、スプールフリー状態におけるスプールの回転に適度な制動力を掛けて過回転を防止する調節ネジを示す。
【００１６】
更に、リール本体３２の下部前方の、ハンドルから離隔した側の側板３４の下部で、リール本体３２を保持した手と干渉しない位置に、給電部３８を下方に向けて配置してある（図３参照）。給電部３８は、後述する取付脚部３０ａやリール取付部１４ｂのリールシート５２と干渉しない位置に延出されている。この給電部３８はリール本体３２内のスプール駆動モータに外部電力源から給電するものであり、バッテリ４０が電気的に連結される。
【００１７】
図２（Ａ）および図３に示すように、このような魚釣用電動リール３０を釣竿１０のハンドル１４に取り付けるため、リール本体３２には釣竿１０のハンドル１４の長手方向に沿って前後に延びる取付脚部３０ａがその下側に配置されている。
【００１８】
釣竿１０の釣竿用ハンドル１４は、前グリップ１４ａと、魚釣用電動リール３０の取付脚部３０ａが着脱可能に取り付けられるリール取付部１４ｂと、後グリップ１４ｃとを備えている。これら前グリップ１４ａ、リール取付部１４ｂ及び後グリップ１４ｃは、例えば筒状に形成され、これらの内部に芯部材１４ｄが配設されている。上述したように、竿部１２の竿桿２２の基端は、芯部材１４ｄの先端部に配設されている。芯部材１４ｄは、前グリップ１４ａ及びリール取付部１４ｂの内部の全体に配設されているのに対して、後グリップ１４ｃはその先端側に配設されている。
【００１９】
釣竿１０の釣竿用ハンドル１４のリール取付部１４ｂは、魚釣用電動リール３０の取付脚部３０ａを介して魚釣用電動リール３０を取り付けるためのいわゆる筒状のリールシート５２からなっている。リール取付部１４ｂは取付脚部３０ａが載置されるリール取付部１４ｂの長手方向の中央側の上面に形成した取付脚部載置面５２ａの後方に例えば一体的に形成され、取付脚部３０ａの後端部を受け入れる固定フード５４ａを配置している。また、リール取付部１４ｂは取付脚部載置面５２ａの前方に移動フード５４ｂが配設され、この移動フード５４ｂの前端にナット（移動フード５４ｂの操作部であるネジリング）５６が配設されている。ナット５６はリールシート５２に形成されたネジ部５２ｂに回転可能に螺合されている。このため、ナット５６を回転させると、移動フード５４ｂを釣竿用ハンドル１４の長手方向に沿って前後動させて取付脚部３０ａの前端部を受け入れることができる。
【００２０】
したがって、ナット５６を回転させつつ移動フード５４ｂを魚釣用電動リール３０の取付脚部３０ａの先端部を移動フード５４ｂ内に収容して後方に押し込み移動させると、魚釣用電動リール３０の取付脚部３０ａは、固定フード５４ａおよび移動フード５４ｂ間で挟持されつつ取付脚載置面５２ａ上に押圧される。これにより、魚釣用電動リール３０は、その取付脚部３０ａがリール取付部１４ｂの上面の取付脚載置面５２ａの上に載せられてリール取付部１４ｂに取り付けられる。ナット５６を逆に回転させて移動フード５４ｂを前方に移動させることにより、釣竿１０のリール取付部１４ｂ（リールシート５２）から魚釣用電動リール３０を取り外すことができる。
【００２１】
本実施形態では、このように釣竿１０に取り付けられる魚釣用電動リール３０にコード６０を介して接続されるバッテリ４０は、例えばリチウムイオン電池等により携帯可能な小型かつ軽量に形成されている。このバッテリ４０は充電により再使用可能である。
【００２２】
このバッテリ４０は、外部を樹脂製の外装部材すなわちボディ４２で覆った密閉構造を有する。図２中、左側に示す先端側には、魚釣用電動リール３０の給電部３８に対してコード６０を介して電気的に接続される接続部４４が突出した状態に配置されている。ボディ４２は、略柱状に形成され、その接続部４４に近接する側は肩部４６として形成されている。肩部４６は、略円錐台状を有し、接続部４４側に向けて先細り状になる傾斜面を有している。
【００２３】
コード６０は、その一端にリール用コネクタ６２を備え、その他端にバッテリ用コネクタ６４を備えている。なお、ここでは、リール用コネクタ６２は図２（Ａ）及び図３に示すように、コード６０およびリール用コネクタ６２の軸方向が給電部３８に対して真っ直ぐのストレートタイプのものが用いられる場合について説明するが、コード６０とリール用コネクタ６２との軸方向が異なる、例えばＬ型タイプなどが用いられることも好ましい。また、ここでは、リール用コネクタ６２がバッテリ用コネクタ６４よりも小さく形成されている場合について説明する。
【００２４】
図２（Ａ）及び図３に示すように、この実施の形態に係る後グリップ１４ｃは、例えば金属や合成樹脂（繊維強化樹脂を含む）などの硬質材料で筒状に形成され、内部にコード６０を挿通させる中空状の挿通部Ｓを有するグリップ本体７２を備えている。グリップ本体７２の先端はリール取付部１４ｂの後端に取り付けられ、芯部材１４ｄが差し込まれて固定されている。なお、筒状体からなるグリップ本体７２の内周面は、コード６０、リール用コネクタ６２およびバッテリ用コネクタ６４を挿脱する際に、これらの間に生じる摩擦を低減させることができるようにコーティング等の加工が施されていたり、平面状に形成されていることが好ましい。
【００２５】
グリップ本体７２の先端側には、リール取付部１４ｂの取付脚部載置面５２ａが形成された側とは反対側（下面側）であって、取付脚部載置面５２ａよりも後方に、挿通孔７３が形成されている。挿通孔７３は、グリップ本体７２の内部に形成されたコード６０の挿通部Ｓに連通されている。挿通孔７３は、ハンドル１４の長手方向の中心軸（ハンドル１４の軸線）Ｃと略同方向（平行又は略平行）に長手方向を有する長孔に形成されている。すなわち、挿通孔７３の長孔は、ハンドル１４の中心軸Ｃに略平行な挿通孔７３の前後方向の長さが挿通孔７３の前後方向に交差する左右方向（ハンドル１４の中心軸Ｃに直交する方向）に対して長い。図３に示すように、挿通孔７３の長孔は、この実施形態では、その前後方向の両端（前端および後端）に互いに向かい合う同径の半円を有し、それら半円の間に長方形を有する形状（例えば陸上競技のトラックのような形状）に形成されている。このため、挿通孔７３の長孔は、前後方向の前端および後端の半円の間で左右方向に同幅の開口を有する。挿通孔７３の大きさ（幅）は、コード６０のリール用コネクタ６２及びバッテリ用コネクタ６４のいずれか一方または両方を通すことが可能な大きさに形成されている。  
ここでは、上述したように、リール用コネクタ６２がバッテリ用コネクタ６４よりも小さく形成され、後述するように、バッテリケース７８をグリップ本体７２から取り外し可能に形成されている。このため、リール用コネクタ６２を挿通孔７３を通すとともにグリップ本体７２の後端の拡径部７６を通すことによって、コード６０をハンドル１４から取り外し可能である。又は、挿通孔７３にバッテリ用コネクタ６４を通すことができるのであれば、バッテリ用コネクタ６４を挿通孔７３から取り出してコード６０をハンドル１４から取り外すことができる。
【００２６】
そして、グリップ本体７２には、挿通孔７３の縁部７４ａに向かって外方に延出された突部７４が一体的に形成されている。特に、挿通孔７３を取付脚部載置面５２ａよりも後方（特に、電動リール３０の給電部３８よりも後方）に設けることにより、コード６０をハンドル１４の後端側に配したバッテリ４０に向けて挿通孔７３を通して無理に曲げることなく容易に挿通させることができる。このため、コード６０に無理な力をかけることを防止できる。
【００２７】
突部７４の内周面の挿通孔７３の内側には、グリップ本体７２のコード６０の挿通部Ｓの内周面と滑らかに連続するようにグリップ本体７２の外側（挿通孔７３）から内部の挿通部Ｓに向かう傾斜面７４ｂが形成されている。突部７４はその前後に、例えば釣り人の手のハンドル１４の下側に回して握持する指を掛けるのに適している。  
コード６０は、挿通孔７３を通して傾斜面７４ｂに誘導されて徐々にハンドル１４の中心軸Ｃに沿った方向に向きながら急な折り曲げをしないで挿通孔７３を通して挿通部Ｓ内に差し込まれる。このため、コード６０がグリップ本体７２の後端の拡径部７６に向かって誘導される。また、この傾斜面７４ｂに対向する芯部材１４ｄの端部には、コード６０を挿脱する際のガイドとなる案内面７４ｃが形成されている。案内面７４ｃによって、コード６０のリール用コネクタ６２を挿通孔７３を通して差し込む際に、リール用コネクタ６２が挿通孔７３よりも前側に移動するのを規制し、確実に挿通孔７３を通してハンドル１４の後端側に向かって差し込むことができる。
【００２８】
挿通孔７３の縁部７４ａのうち、ハンドル１４に対して前方側よりも後方側の方がハンドル１４の中心軸Ｃに対して離れた位置（外側）にある。そして、挿通孔７３の縁部７４ａのうち、ハンドル１４の後端側の縁部は後グリップ１４ｃのグリップ本体７２の外周よりも外側にあるのに対し、前端側の縁部は後グリップ１４ｃのグリップ本体７２の外周にある。すなわち、ハンドル１４の外周面が中心軸Ｃから離れる方向に変移する変移部７５が突部７４の前側（ハンドル１４側）に形成され、この変移部７５に挿通孔７３が形成されている。挿通孔７３は、ハンドル１４の中心軸Ｃに直交する方向よりもハンドル１４の前側（前端側）に向けられて形成されている。このため、電動リール３０の給電部３８から後方に延出されるコード６０を後グリップ１４ｃのグリップ本体７２の挿通孔７３に挿脱し易い。
【００２９】
突部７４の挿通孔７３の長孔は、ハンドル１４の中心軸Ｃに近接する前後方向（後述する長手方向軸Ｌの方向）の長さが長手方向に交差する方向（ハンドル１４の中心軸Ｃに直交する方向）に対して長く形成されている。このため、コード６０を釣竿用ハンドル１４の挿通孔７３を通して出し入れする際に、コード６０の出し入れの方向と長孔の挿通孔７３の前後方向とを一致又は略一致させることができる。言い換えると、挿通孔７３に対してコード６０を挿脱する際にコード６０の軸方向（長手方向）をハンドル１４の中心軸Ｃに対して直交する状態よりも平行に近づけて中心軸Ｃに沿った方向にしている。したがって、コード６０を挿通孔７３に挿通したときの湾曲量を小さくしてコード６０に大きな負荷をかけないようにすることが可能であるとともに、コード６０が釣竿用ハンドル１４に引っ掛かることが極力防止された状態でスムーズにコード６０を挿通孔７３に対して出し入れすることができる。また、コード６０を釣竿用ハンドル１４に配設している場合にも、長孔の挿通孔７３の前側の縁部と後側の縁部との距離が長く形成されているので、仮に釣り人がコード６０ごと釣竿用ハンドル１４を保持した場合であっても、釣り人の手に当たるのは突部７４の挿通孔７３の後端の縁部であるから、コード６０に大きな力が加えられることを防止することができる。
【００３０】
また、突部７４の内側の挿通孔７３側に形成した傾斜面７４ｂ及び芯部材１４ｄの案内面７４ｃにより、コード６０を挿通孔７３に対して出し入れする際に、コード６０を滑らかに移動させることができる。
【００３１】
挿通孔７３の長孔の前側の縁部と後側の縁部とを結ぶ線分を延長した線を長手方向軸Ｌとする。挿通孔７３の前側の縁部および後側の縁部以外の縁部は、長手方向軸Ｌよりも中心軸Ｃ側にある。すなわち、挿通孔７３は、凹んだ形状に形成され、また、長手方向軸Ｌと交差する方向の挿通孔７３の左右方向の幅は前後方向の長さよりも小さく形成されている。  
この挿通孔７３の長孔の長手方向軸Ｌは、例えば、突部７４が形成された位置よりもハンドル１４の前方でハンドル１４の中心軸Ｃと交差する。すなわち、図２（Ａ）中に示すように、挿通孔７３の前後方向に沿った線（長手方向軸）Ｌは、突部７４が形成された位置よりも前グリップ１４ａ側でハンドル１４の中心軸Ｃに交差する。なお、挿通孔７３の長手方向に沿った線Ｌとハンドル１４の中心軸Ｃとが交差する位置は、挿通孔７３が形成された位置よりも前グリップ１４ａ側の適宜の位置に設定可能である。その交差位置によって、挿通孔７３の長孔の形状が変化する。例えば、前グリップ１４ａに交差位置が近づくほど突部７４の傾斜面７４ｂが小さく形成される。このとき、挿通孔７３の縁部７４ａの形状は挿通孔７３のうちのグリップ本体７２の外周自体にある形状に近くなる。逆に、交差状態がハンドル１４の中心軸に直交する状態に近づくほど傾斜面７４ｂが大きく形成される。
【００３２】
本実施形態では、突部７４の挿通孔７３には、図２（Ａ）及び図３に示すバッテリ用コネクタ６４を通すことが可能である。すなわち、ここでは、挿通孔７３の左右方向の幅（バッテリ用コネクタ６４を通すことができる幅）を維持しつつ、挿通孔７３の前後方向の長さを変化させることができる。このため、バッテリ用コネクタ６４およびこのコネクタ６４に接続されたコード６０をハンドル１４の内部の挿通部Ｓに挿通させる際の傾斜角度を設定することができる。
【００３３】
図２（Ａ）および図２（Ｂ）に示すように、グリップ本体７２の後端には、グリップ本体７２の内径よりも外径が大きいバッテリ４０を収容するためにやや拡径された拡径部７６が形成されている。この拡径部７６の後端には雄ネジ部７６ａが形成されている。この雄ネジ部７６ａには、バッテリ４０が収容されるバッテリケース７８の雌ネジ部７８ａが着脱可能に螺合されることでハンドル１４の後端にバッテリケース７８が着脱可能に取り付けられる。そして、後グリップ１４ｃの拡径部７６およびバッテリケース７８は、バッテリ保持部を形成する。このため、釣竿１０のうち、釣り人が釣りの最中に直接的にバッテリ４０に触れない状態にバッテリ４０を配置することができ、バッテリ４０が邪魔にならない状態で釣りをすることができる。また、バッテリ４０を釣竿１０の後端に配置したので、釣竿１０の重心位置を釣竿１０の後端側に移動させることができる。すなわち、釣竿１０の重心を、電動リール３０とハンドル１４の後端側とに分けて配し、重量を分散させてバランスを良くできるので、釣竿１０の操作も容易に行うことができる。
【００３４】
なお、拡径部７６は、バッテリ４０の肩部４６と略同じ傾斜を有し、後端側ほど開口が大きく形成されている。一方、バッテリケース７８は、バッテリ４０をハンドル１４の中心軸Ｃに沿って先端側に向かって押圧する押圧パッド（押圧部）７８ｂが配設されている。このため、バッテリケース７８にバッテリ４０が配設された状態でバッテリケース７８の雌ネジ部７８ａが拡径部７６の雄ネジ部７６ａに螺合したときには、バッテリ４０のガタツキを防止するように、バッテリ４０の肩部４６が後グリップ１４ｃの拡径部７６の内周面（度当て面）７６ｂに度当てされる。
【００３５】
そして、電動リール３０の給電部３８とバッテリ４０の接続部４４とを接続するコード６０は、後グリップ１４ｃの突部７４の挿通孔７３を通して後グリップ１４ｃの後端まで延出されている。
【００３６】
なお、この実施の形態では図２（Ａ）および図３に示すように、電動リール３０の給電部３８が下方に向けて形成されている場合について説明したが、給電部３８は下方に向けて形成されている場合に限らず、様々な方向に向けて形成されている場合がある。このような電動リールであっても、同様にコードをハンドル１４に対して出し入れして用いることができる。なお、長孔に形成した挿通孔７３は、その開口が任意方向に長く形成されていれば良く、ハンドル１４の中心軸Ｃの方向に長く形成するほか、中心軸Ｃに対して傾斜する方向に長く形成した長孔であっても良い。
【００３７】
次に、第２の実施の形態について図４および図５を用いて説明する。この実施の形態は第１の実施の形態の変形例であって、第１の実施の形態で説明した部材と同一の部材には同一の符号を付し、詳しい説明を省略する。以下、第３の実施の形態から第７の実施の形態も同様である。
【００３８】
図４および図５に示すように、ハンドル１４の後グリップ１４ｃのグリップ本体７２（リール取付部１４ｂよりも後方）には、ハンドル１４の長手方向（中心軸Ｃ）に対して直交する方向に貫通された挿通孔９３が形成されている。挿通孔９３は、第１の実施の形態で説明した挿通孔７３と異なりグリップ本体７２に一体に突部が形成されているものではない。この挿通孔９３には、後グリップ１４ｃのグリップ本体７２とは別部材の突部（カバー体）９４が嵌合されている。突部９４は挿通孔９３に対して着脱可能であり、すなわち、突部９４が交換可能である。突部９４の基部は、例えば挿通孔９３を押し広げるように付勢し、突部９４を挿通孔９３から取り外す際にはその付勢力に抗して変形させて取り外す。その他、突部９４を挿通孔９３に対して着脱する手段は種々のものが用いられる。
【００３９】
この突部９４は、第１の実施の形態で説明した突部７４の変移部７５や傾斜面７４ｂ（図２（Ａ）及び図３参照）と同様に、変移部９５と、傾斜面９４ｂとを有する。突部９４の前側は、例えば釣り人の手の指の腹に沿うように湾曲状の凹状部９４ｄに形成されている。すなわち、凹状部９４ｄは、略トリガー形状に形成されている。このため、ハンドル１４を握持するのに凹状部９４ｄに指をかけて用いることができる。なお、突部９４の先端にコード６０を通す開口９４ａが形成されている。  
なお、この実施形態の場合、芯部材１４ｄの基端は、第１の実施の形態で説明した芯部材１４ｄの案内面７４ｃと同じ作用を有するように、案内面９４ｃが形成されていることも好適であるし、図示しないが中心軸Ｃに対して直交する端面が形成されていることも好適である。ここでは、案内面９４ｃが形成されている。
【００４０】
突部９４は、例えば合成樹脂、ゴムなどのストレッチ素材で形成されている。この場合、突部９４を釣竿１０のハンドル１４から分離した状態で、又は、突部９４を挿通孔９３から取り外すことなく、突部９４の開口９４ａよりも大きいリール用コネクタ６２やバッテリ用コネクタ６４を開口９４ａに対して通すことができる。
【００４１】
開口９４ａは、コード６０を出し入れ可能であるとともに、コード６０の外周面に略密着するように形成されている。このため、ハンドル１４の挿通部Ｓに雨水や海水等の液体が浸入したり、ゴミ等が侵入することが極力防止されている。又は、開口９４ａが変形することなく少なくともリール用コネクタ６２（リール用コネクタ６２およびバッテリ用コネクタ６４のうち、小さい方のコネクタ）を通すことができるように形成されていることも好ましい。
【００４２】
なお、この実施の形態では、突部９４を挿通孔９３に着脱可能に嵌合する場合について説明したが、突部９４は必ずしも嵌合した状態で使用しなければならないものではなく、後述する第６および第７の実施の形態（図１２から図１５参照）で説明するように、突部９４を用いずに釣竿１０を使用することができる。
【００４３】
次に、第３の実施の形態について図６及び図７を用いて説明する。この実施の形態は第１の実施の形態の変形例である。  
図６に示すように、この実施の形態は、第１の実施の形態で説明した突部７４ではなく、後グリップ１４ｃのグリップ本体７２（リール取付部１４ｂよりも後方）の外周よりも内側に凹んだ凹部１０４が形成されている。この凹部１０４には、長孔の挿通孔１０４ａと傾斜面１０４ｂとが形成されている。凹部１０４の挿通孔１０４ａの長孔は、ハンドル１４の中心軸Ｃに近接する挿通孔１０４ａの前後方向の長さが挿通孔１０４ａの前後方向に交差する方向（ハンドル１４の中心軸Ｃに直交する方向）に対して長い。この挿通孔１０４ａの縁部のうち、ハンドル１４に対して前方側よりも後方側の方がハンドル１４の中心軸Ｃに対して離れた位置（外側）にある。挿通孔１０４ａは、その縁部が先端側から後端側に向かってハンドル１４の中心軸Ｃから離れるように変移している。そして、挿通孔１０４ａの縁部うち、ハンドル１４の後端側の縁部は後グリップ１４ｃの外周にあるのに対し、前端側の縁部は後グリップ１４ｃの外周よりも内側にある。すなわち、挿通孔１０４ａには、ハンドル１４の外側面が中心軸Ｃから外方へ離れる方向に変移する変移部１０５が形成され、この変移部１０５に挿通孔１０４ａが形成されている。
【００４４】
第１の実施の形態でも説明したが、凹部１０４の挿通孔１０４ａの長孔の前側の縁部と後側の縁部とを結ぶ線分を延長した線を長手方向軸Ｌとする。挿通孔１０４ａの前側の縁部および後側の縁部以外の縁部は、長手方向軸Ｌよりも中心軸Ｃ側にある。すなわち、挿通孔１０４ａは、凹んだ形状に形成されている。
【００４５】
この挿通孔１０４ａの長孔の長手方向軸Ｌは、例えば、凹部１０４が形成された位置よりもハンドル１４の前方でハンドル１４の中心軸Ｃと交差する。すなわち、図６中に示すように、挿通孔１０４ａの前後方向に沿った線（長手方向軸）Ｌは、凹部１０４が形成された位置よりも前方でハンドル１４の中心軸Ｃに交差する。なお、挿通孔１０４ａの前後方向に沿った線Ｌとハンドル１４の中心軸Ｃとが交差する位置は、挿通孔１０４ａが形成された位置よりも前グリップ１４ａ側の適宜の位置に設定可能である。その交差位置によって、挿通孔１０４ａの長孔の形状が変化する。挿通孔１０４ａは変移部１０５に形成することで中心軸Ｃに直交する方向よりも前方を向いて開口する。
【００４６】
図７に示すように、挿通孔１０４ａは、ハンドル１４の前端側の幅が狭く、後端側の幅が前端側よりも広く形成されている。挿通孔１０４ａの後端は、円弧状に形成されている。
【００４７】
挿通孔１０４ａの大きさは、コード６０のリール用コネクタ６２及びバッテリ用コネクタ６４のいずれか一方または両方を通すことが可能な大きさに形成されている。このため、コード６０は後グリップ１４ｃに対して着脱（挿脱）可能である。本実施形態では、挿通孔１０４ａには、図６及び図７に示すリール用コネクタ６２を通すことが可能である。すなわち、ここでは、挿通孔１０４ａの幅（リール用コネクタ６２を通すことができる幅）を維持しつつ、挿通孔１０４ａの前後方向の長さを変化させることができる。このため、リール用コネクタ６２およびこのコネクタ６２に接続されたコード６０をハンドル１４の内部の挿通部Ｓに挿通させる際の傾斜角度を設定することができる。
【００４８】
傾斜面１０４ｂは、コード６０に大きな力が加えられることを防止した状態でグリップ本体７２の内部の挿通部Ｓに案内するのに用いられる。
【００４９】
このような挿通孔１０４ａを形成することにより、ハンドル１４の中心軸Ｃ（長手方向）に対して直交する方向の挿通孔よりもハンドル１４の長手方向に平行な状態に近接するように挿通孔を形成できる。このため、コード６０を急に折り曲げずに中心軸Ｃの方向に近づけた状態で挿通し、また、挿脱する際に屈曲等させずにスムーズに挿脱させることができる。また、第１の実施の形態で説明した突部７４（図２（Ａ）及び図３参照）のような出っ張りがないので、ハンドル１４を小さく保つことができる。
【００５０】
次に、第４の実施の形態について図８及び図９を用いて説明する。この実施の形態は第３の実施の形態の変形例である。  
図８および図９に示すように、この実施の形態は、凹部１０４の長孔の挿通孔１０４ａと傾斜面１０４ｂとを、電動リール３０の取付脚部３０ａが載置されるリール取付部１４ｂの上面側の取付脚部載置面５２ａに対して下面側（図６および図７参照）ではなく、同じ面側（上面側）に設けた例である。すなわち、第３の実施の形態で説明したグリップ本体７２をハンドル１４の中心軸Ｃに対して１８０度回転させた状態にある。
【００５１】
給電部３８とリール用コネクタ６２とが接続された状態で、コード６０は、リール本体３２と取付脚部３０ａとの脇を通してグリップ本体７２に向かって延出されている。そして、凹部１０４の傾斜面１０４ｂに案内され挿通孔１０４ａを通して挿通部Ｓ内に導入されている。このように、コード６０をリール本体３２と取付脚部３０ａとの脇を通してグリップ本体７２に向かって延出させることによって、コード６０が邪魔になるのを極力防止することができ、リール取付部１４ｂの後方（電動リール３０の後方）の上面にコード６０が配されるためコード６０の状態を確認してハンドル１４を握持できる。
【００５２】
この実施の形態では、リール用コネクタ６２からバッテリ用コネクタ６４までの経路を第１から第３の形態で説明した経路よりも短くすることができるので、短いコード６０を使用することができる。このため、釣りをする際に釣り人が用いる釣竿１０の軽量化を図ることができるとともに、余ったコードが邪魔になることが極力防止することができる。
【００５３】
次に、第５の実施の形態について図１０及び図１１を用いて説明する。この実施の形態は第１および第２の実施の形態の変形例である。  
図１０および図１１に示すように、後グリップ１４ｃのグリップ本体７２には、挿通孔１１３が形成されている。図１１に示すように、挿通孔１１３は、ハンドル１４の長手方向の中心軸（ハンドル１４の軸線）Ｃと略同方向（平行又は略平行）に前後方向（長手方向）を有する長孔に形成されている。すなわち、挿通孔１１３の長孔は、ハンドル１４の中心軸Ｃに略平行な挿通孔１１３の前後方向の長さが挿通孔１１３の前後方向に交差する左右方向（ハンドル１４の中心軸Ｃに直交する方向）に対して長い。この挿通孔１１３は、後グリップ１４ｃ側の幅が前グリップ１４ａ側の幅よりも大きく形成されている。そして、グリップ本体７２には、挿通孔１１３の縁部から外方に向かって延出された突部１１４が一体的に形成されている。
【００５４】
突部１１４の内側には、グリップ本体７２の内部に配設された芯部材１４ｄの後端の案内面１１４ｃと滑らかに連続するようにグリップ本体７２の外側から内部に向かう傾斜面１１４ｂが形成されている。
【００５５】
なお、図１１に示すように、突部１１４の符号１１４ａで示す先端は略Ｕ字状に形成されている。そして、突部１１４の前端の基端は、突部１１４の先端１１４ａに対して後端側にある。また、突部１１４の後端（基端）は、挿通孔１１３の縁部を外部に露出した状態でグリップ本体７２の外周面と滑らかに連続している。  
図１０に示すように、突部１１４の前側は、例えば釣り人の手の指の腹に沿うように湾曲状の凹状部１１４ｄに形成されている。すなわち、凹状部１１４ｄは、略トリガー形状に形成されている。このため、ハンドル１４を握持するのに凹状部１１４ｄに指をかけて用いることができる。
【００５６】
ここでは、図１０に示すように、本実施形態は、バッテリ４０のボディ４２を保持するのにバッテリケース７８（図２（Ａ）および図２（Ｂ）参照）を用いない。  
拡径部７６には、雄ネジ部７６ａが形成されていない。その代わりに、拡径部７６の後端の内周面には、例えばＯリング等のシール材７６ｃが配設されている。このシール材７６ｃは、弾性材料で形成され、シール材７６ｃの内径はバッテリ４０のボディ４２の外径よりもやや小さく形成されている。このため、バッテリ４０のボディ４２を拡径部７６の内側に配設するときには、シール材７６ｃを弾性変形させてバッテリ４０のボディ４２の外周面に密着させる。このようにして、バッテリ４０をハンドル１４の後グリップ１４ｃの後端に保持することができる。すなわち、後グリップ１４ｃの後端の拡径部７６およびシール材７６ｃは、バッテリ保持部を形成する。なお、シール材７６ｃの作用によって、バッテリ４０が拡径部７６の後端に配設された状態でハンドル１４内に水やゴミ等が侵入するのを防止できる。
【００５７】
次に、第６の実施の形態について図１２及び図１３を用いて説明する。この実施の形態は第２の実施の形態の変形例である。  
図１２に示すように、リール取付部１４ｂのリールシート５２の内部に配設される符号１４ｅで示す芯部材は筒状に形成されている。この芯部材１４ｅは、第１から第５の実施の形態で説明した中実の芯部材１４ｄとは異なり、前グリップ１４ａからリール取付部１４ｂのリールシート５２の前端まで配設されている。
【００５８】
リール取付部１４ｂのリールシート５２の後端には、後グリップ１４ｃの内径よりも小さい外径を有する嵌合部１２６が形成されている。このため、リール取付部１４ｂの嵌合部１２６で後グリップ１４ｃの先端に嵌合されている。
【００５９】
図１２および図１３に示すように、リールシート５２には、挿通孔（開口）１２３が形成されている。挿通孔１２３は、取付脚部載置面５２ａの下面に形成されている。図１２に示すように、リールシート５２は、後グリップ１４ｃのグリップ本体７２の内部にコード６０を挿通させる中空状の挿通部Ｓに連通する挿通部Ｓ１を備えている。
【００６０】
この挿通孔１２３は、ハンドル１４の長手方向の中心軸（ハンドル１４の軸線）Ｃと略同方向（平行又は略平行）に前後方向（長手方向）を有する長孔に形成されている。すなわち、挿通孔１２３の長孔は、ハンドル１４の中心軸Ｃに略平行な挿通孔１２３の前後方向の長さが挿通孔１２３の前後方向に交差する左右方向（ハンドル１４の中心軸Ｃに直交する方向）に対して長い。図１３に示すように、この挿通孔１２３の長孔は、後グリップ１４ｃ側の幅が前グリップ１４ａ側の幅よりも小さく形成されている。挿通孔１２３の長孔は、この実施形態では、前端に大径の半円を有し、後端に前端よりも小径の半円を有し、それら半円同士を接線で接続した形状に形成されている。このため、挿通孔１２３の幅は、後端側から前端側に向かって広げられている。すなわち、ハンドル１４の中心軸Ｃに直交する方向の開口幅は、後端の半円の直径から前端の半円の直径に至るまで線形的に増加するように形成されている。
【００６１】
本実施形態に係るリール用コネクタ６２は、コード６０よりも大きく形成されているので、例えばコード６０をハンドル１４の後グリップ１４ｃのグリップ本体７２の後端の拡径部７６（図２（Ｂ）参照）の後端側から抜き取る際に、挿通孔１２３に対して容易にリール用コネクタ６２を挿通部Ｓ１内に入れることができる。また、リール用コネクタ６２を後グリップ１４ｃのグリップ本体７２の後端の拡径部７６の後端側から前グリップ１４ａ側に導入していく際に、挿通孔１２３の挿通部Ｓ１から容易にリール用コネクタ６２を取り出すことができる。このため、コード６０とリール用コネクタ６２との連結部に大きな力が加えられることが防止される。
【００６２】
なお、この実施の形態では、挿通孔１２３の長孔の形状を第２の実施の形態で説明した挿通孔９３と異なる形状であるとして説明したが、同じ形状であることも好ましい。
【００６３】
次に、第７の実施の形態について図１４及び図１５を用いて説明する。この実施の形態は第６の実施の形態の変形例である。  
図１４に示すように、リール取付部１４ｂのリールシート５２の内部に配設される符号１４ｆで示す芯部材は筒状に形成されている。この芯部材１４ｆは、第１から第５の実施の形態で説明した芯部材１４ｄと同様に、前グリップ１４ａから後グリップ１４ｃの前端まで配設されている。
【００６４】
リールシート５２および芯部材１４ｆには、符号１３３で示す挿通孔が形成されている。すなわち、リールシート５２には符号１３３ａで示す挿通孔が形成され、芯部材１４ｆには符号１３３ｂで示す挿通孔が形成されている。これら挿通孔１３３ａ，１３３ｂ（以下、符号１３３で示す）は、同一の軸上にある。この挿通孔１３３は、第５の実施の形態とは異なり、ネジ部５２ｂの前側であって、前グリップ１４ａの後側に形成されている。このため、図１４に示すように、リールシート５２は、後グリップ１４ｃのグリップ本体７２の内部にコード６０を挿通させる中空状の挿通部Ｓに連通する挿通部Ｓ２を備えている。
【００６５】
図１５に示すように、この挿通孔１３３は、長孔として形成されている。この挿通孔１３３の長孔は、第５の実施の形態で説明した挿通孔１２３と例えば同形状に形成されている。この挿通孔１３３の長孔は、例えば、リール用コネクタ６２を挿脱可能であるとともに、バッテリ用コネクタ６４を挿脱可能である。しかしながら、図１４に示す筒状の芯部材１４ｆには、リール用コネクタ６２を通すことができるが、バッテリ用コネクタ６４を通すことができない。このため、挿通孔１３３には、リール用コネクタ６２を挿脱することにより、ハンドル１４に対してコード６０を着脱可能である。
【００６６】
なお、図１４中、芯部材１４ｄはバッテリ用コネクタ６４を挿脱できない大きさに描かれているが、リールシート５２の内径が大きく形成され、かつ、芯部材１４ｄの内径が大きく形成されることにより、挿通孔１３３に対してリール用コネクタ６２又はバッテリ用コネクタ６４を挿脱することにより、ハンドル１４に対してコード６０を着脱可能である。
【００６７】
なお、コード６０を、ハンドル１４の電動リール３０を取り付けた位置（取付脚部載置面５２ａ）よりも前方に設けた挿通部Ｓ２に挿通させる場合、給電部３８に接続されたリール用コネクタ６２と、バッテリ４０の接続部４４（図２（Ｂ）参照）に接続されたバッテリ用コネクタ６４との間のコード６０は、ループを形成した状態でリールシート５２のネジ部５２ｂの前側の挿通孔１３３から挿通部Ｓ２に急に折り曲げずに挿通して配設することができる。
【００６８】
これまで、いくつかの実施の形態について図面を参照しながら具体的に説明したが、この発明は、上述した実施の形態に限定されるものではなく、その要旨を逸脱しない範囲で行なわれるすべての実施を含む。第１から第７の実施の形態の挿通孔は、ハンドル１４の中心軸Ｃ方向（前後方向）を長くしこれと交差する左右方向を短くした長孔としたが、これに限らず、中心軸Ｃ方向（前後方向）に対して傾斜した方向に長く形成した長孔としても良い。第１から第７の実施の形態を適宜に組み合わせて用いることも好適である。すなわち、例えば、第１から第５の実施の形態で説明した突部７４，９４，１１４や凹部１０４を第６の実施の形態で説明した挿通孔１２３に用いることなども好ましい。また、第６および第７の実施の形態で説明した形状の挿通孔１２３，１３３を第１から第５の実施の形態で説明した挿通孔７３，９３，１０４ａ，１１３に用いることも好ましい。
【図面の簡単な説明】
【００６９】
【図１】第１の実施の形態に係る釣竿を示す概略図。
【図２】（Ａ）は第１の実施の形態に係る釣竿のハンドルの後端にバッテリを装着した状態を示す概略的な縦断面図、（Ｂ）は図２（Ａ）に示す釣竿のハンドルの後端からバッテリを取り外した状態を示す概略的な縦断面図。
【図３】第１の実施の形態に係る釣竿のハンドルの後端にバッテリを装着した状態を示す概略図。
【図４】第２の実施の形態に係る釣竿のハンドルの後端にバッテリを装着した状態を示す概略的な縦断面図。
【図５】第２の実施の形態に係る釣竿のハンドルの後端にバッテリを装着した状態を示す概略図。
【図６】第３の実施の形態に係る釣竿のハンドルの後端にバッテリを装着した状態を示す概略的な縦断面図。
【図７】第３の実施の形態に係る釣竿のハンドルの後端にバッテリを装着した状態を示す概略図。
【図８】第４の実施の形態に係る釣竿のハンドルの後端にバッテリを装着した状態を示す概略的な縦断面図。
【図９】第４の実施の形態に係る釣竿のハンドルの後端にバッテリを装着した状態を示す概略図。
【図１０】第５の実施の形態に係る釣竿のハンドルの後端にバッテリを装着した状態を示す概略的な縦断面図。
【図１１】第５の実施の形態に係る釣竿のハンドルの後端にバッテリを装着した状態を示す概略図。
【図１２】第６の実施の形態に係る釣竿のハンドルの後端にバッテリを装着した状態を示す概略的な縦断面図。
【図１３】第６の実施の形態に係る釣竿のハンドルの後端にバッテリを装着した状態を示す概略図。
【図１４】第７の実施の形態に係る釣竿のハンドルの後端にバッテリを装着した状態を示す概略的な縦断面図。
【図１５】第７の実施の形態に係る釣竿のハンドルの後端にバッテリを装着した状態を示す概略図。
【符号の説明】
【００７０】
１４…ハンドル、３０…電動リール、３２…リール本体、３４…側板、３４ａ…ハンドル、３８…給電部、４０…バッテリ、４２…ボディ、４６…肩部、５２…リールシート、５２ｂ…ネジ部、５４ｂ…移動フード、５６…ナット、６０…コード、６２…リール用コネクタ、６４…バッテリ用コネクタ、７２…グリップ本体、７３…挿通孔、７４…突部、７６…拡径部、７８…バッテリケース。
【図１】
2010029112.tif 000003
【図２】
2010029112.tif 000004
【図３】
2010029112.tif 000005
【図４】
2010029112.tif 000006
【図５】
2010029112.tif 000007
【図６】
2010029112.tif 000008
【図７】
2010029112.tif 000009
【図８】
2010029112.tif 000010
【図９】
2010029112.tif 000011
【図１０】
2010029112.tif 000012
【図１１】
2010029112.tif 000013
【図１２】
2010029112.tif 000014
【図１３】
2010029112.tif 000015
【図１４】
2010029112.tif 000016
【図１５】
2010029112.tif 000017